(57)【要約】【課題】紙書籍の所有者に電子書籍を割引販売価格で購入させるための新しい仕組みを提供する。【解決手段】本発明によれば、紙書籍識別情報と電子書籍識別情報とを関連付けて記憶する書籍情報記憶部と、古書店から前記紙書籍識別情報を受信すると電子書籍を割引販売価格で購入するための電子クーポンを生成するクーポン生成部と、クーポン取得用情報を古書店の前記端末装置に送信するクーポン配付部と、携帯端末が前記端末装置から前記クーポン取得用情報を取得した後に該携帯端末から送信されてくる該クーポン取得用情報を受信すると、該クーポン取得用情報に基づいて前記電子クーポンを該携帯端末に送信するクーポン送信部と、を有し、前記クーポン送信部で送信した電子クーポンを利用した電子書籍の購入要求を前記携帯端末から受信すると、該電子書籍の割引価格での購入を完了させることを特徴とする電子書籍販売システムが提供される。【選択図】図４
2016173645.tif 000002
【特許請求の範囲】
【請求項１】
１以上の情報処理装置により構成され、電子書籍を販売する電子書籍販売システムであって、
古書店の端末装置から、紙版書籍を識別する紙書籍識別情報を受信する第１の受信部と、
前記第１の受信部で受信した前記紙書籍識別情報により識別される紙版書籍に対応する電子書籍を、正規の販売価格より安い割引販売価格で購入できる電子クーポンを取得するためのクーポン取得用情報を、前記古書店の端末装置に送信する第１の送信部と、
携帯端末が前記端末装置から前記クーポン取得用情報を取得した後に、該携帯端末が該クーポン取得用情報に基づいて送信するクーポン取得要求を受信する第２の受信部と、
前記第２の受信部で受信したクーポン取得要求に基づいて、前記電子クーポンを前記携帯端末に送信する第２の送信部と、
前記第２の送信部で送信した前記電子クーポンを利用して、前記第１の受信部で受信した前記紙書籍識別情報により識別される紙版書籍に対応する電子書籍の購入要求を受信する第３の受信部と、
前記第３の受信部で受信した前記購入要求に基づく前記電子書籍の前記割引販売価格での購入処理を実行する購入処理部と
を有する電子書籍販売システム。
【請求項２】
紙版書籍を識別する紙書籍識別情報と、該紙版書籍に対応する電子書籍を識別する電子書籍識別情報とを関連付けて記憶する書籍情報記憶部を有し、
前記第１の送信部は、前記第１の受信部が受信した前記紙書籍識別情報に関連付けて前記書籍情報記憶部に記憶されている前記電子書籍識別情報により識別される電子書籍を前記割引販売価格で購入できる前記電子クーポンを取得するための前記クーポン取得用情報を、前記古書店の端末装置に送信すること
を特徴とする請求項１に記載の電子書籍販売システム。
【請求項３】
前記第１の受信部で受信した前記紙書籍識別情報に基づいて、前記電子クーポンを生成するクーポン生成部を有し、
前記第２の送信部は、前記クーポン生成部で生成された前記電子クーポンを、前記携帯端末に送信すること
を特徴とする請求項１又は２に記載の電子書籍販売システム。
【請求項４】
前記第１の送信部は、
前記電子クーポンのダウンロード用ページを生成し、該ダウンロード用ページのパスをエンコードした二次元コードを表示する二次元コード画面を古書店の前記端末装置に送信する、
請求項１〜３のいずれか一項に記載の電子書籍販売システム。
【請求項５】
１以上の情報処理装置により構成され、電子書籍を販売する電子書籍販売システムであって、
古書店の端末装置から、紙版書籍を識別する紙書籍識別情報を受信する第１の受信部と、
前記第１の受信部で受信した前記紙書籍識別情報により識別される紙版書籍に対応する電子書籍を、正規の販売価格より安い割引販売価格で購入できる電子クーポンを登録するためのクーポン登録用情報を、前記古書店の端末装置に送信する送信部と、
携帯端末が前記端末装置から前記クーポン登録用情報を取得した後に、該携帯端末が該クーポン登録用情報に基づいて送信する、ユーザを識別するユーザ識別情報とクーポン登録要求、とを受信する第２の受信部と、
前記第２の受信部で受信したクーポン登録用情報に基づいて、前記第２の受信部で受信した前記ユーザ識別情報に前記電子クーポンを紐付けて登録するクーポン登録部と、
前記ユーザ識別情報により識別されるユーザの前記電子クーポンを利用した、前記第１の受信部で受信した前記紙書籍識別情報により識別される紙版書籍に対応する電子書籍の購入要求を、前記携帯端末又は操作端末から受信する第３の受信部と、
前記第３の受信部で受信した前記購入要求に基づく前記電子書籍の前記割引販売価格での購入処理を実行する購入処理部と
を有する電子書籍販売システム。
【請求項６】
紙版書籍を識別する紙書籍識別情報と、該紙版書籍に対応する電子書籍を識別する電子書籍識別情報とを関連付けて記憶する書籍情報記憶部を有し、
前記クーポン登録部は、前記第１の受信部が受信した前記紙書籍識別情報に関連付けて前記書籍情報記憶部に記憶されている前記電子書籍識別情報により識別される電子書籍を前記割引販売価格で購入できる前記電子クーポンを登録するための前記クーポン登録用情報を、前記古書店の端末装置に送信すること
を特徴とする請求項５に記載の電子書籍販売システム。
【請求項７】
前記第１の受信部で受信した前記紙書籍識別情報に基づいて、前記電子クーポンを生成するクーポン生成部を有し、
前記クーポン登録部は、前記クーポン生成部で生成された前記電子クーポンを、前記携帯端末のユーザに紐付けて登録すること
を特徴とする請求項５又は６に記載の電子書籍販売システム。
【請求項８】
前記クーポン登録部は、
前記電子クーポンの登録用ページを生成し、該登録用ページのパスをエンコードした二次元コードを表示する二次元コード画面を古書店の前記端末装置に送信する、
請求項５〜７のいずれか一項に記載の電子書籍販売システム。
【請求項９】
前記書籍情報記憶部は、
前記電子書籍識別情報と、該電子書籍識別情報により識別される電子書籍をユーザに割引販売価格で販売した対価として古書店が該電子書籍の販売元に支払う金額である支払保証金額と、該割引販売価格とを紐付けて記憶し、
前記電子クーポンは、
古書店の前記端末装置から受信した前記紙書籍識別情報に紐付いた電子書籍識別情報と、該電子書籍識別情報に紐付いた前記支払保証金額と、該電子書籍識別情報に紐付いた前記割引販売価格とを含む、
請求項２に記載の電子書籍販売システム。
【請求項１０】
電子書籍の販売に利用された前記電子クーポンから前記支払保証金額を抽出して蓄積する電子書籍販売実績管理部を含む、
請求項９に記載の電子書籍販売システム。
【請求項１１】
コンピュータを、
古書店の端末装置から、紙版書籍を識別する紙書籍識別情報を受信する第１の受信手段、
前記第１の受信手段で受信した前記紙書籍識別情報により識別される紙版書籍に対応する電子書籍を、正規の販売価格より安い割引販売価格で購入できる電子クーポンを取得するためのクーポン取得用情報を、前記古書店の端末装置に送信する第１の送信手段、
携帯端末が前記端末装置から前記クーポン取得用情報を取得した後に、該携帯端末が該クーポン取得用情報に基づいて送信するクーポン取得要求を受信する第２の受信手段、
前記第２の受信手段で受信したクーポン取得要求に基づいて、前記電子クーポンを前記携帯端末に送信する第２の送信手段、
前記第２の送信手段で送信した前記電子クーポンを利用して、前記第１の受信手段で受信した前記紙書籍識別情報により識別される紙版書籍に対応する電子書籍の購入要求を受信する第３の受信手段、
前記第３の受信手段で受信した前記購入要求に基づく前記電子書籍の前記割引販売価格での購入処理を実行する購入処理手段、
として機能させるためのコンピュータ実行可能なプログラム。
【請求項１２】
コンピュータを、
古書店の端末装置から、紙版書籍を識別する紙書籍識別情報を受信する第１の受信手段、
前記第１の受信手段で受信した前記紙書籍識別情報により識別される紙版書籍に対応する電子書籍を、正規の販売価格より安い割引販売価格で購入できる電子クーポンを登録するためのクーポン登録用情報を、前記古書店の端末装置に送信する送信手段、
携帯端末が前記端末装置から前記クーポン登録用情報を取得した後に、該携帯端末が該クーポン登録用情報に基づいて送信する、ユーザを識別するユーザ識別情報とクーポン登録要求、とを受信する第２の受信手段、
前記第２の受信手段で受信したクーポン登録用情報に基づいて、前記第２の受信手段で受信した前記ユーザ識別情報に前記電子クーポンを紐付けて登録するクーポン登録手段、
前記ユーザ識別情報により識別されるユーザの前記電子クーポンを利用した、前記第１の受信手段で受信した前記紙書籍識別情報により識別される紙版書籍に対応する電子書籍の購入要求を、前記携帯端末又は操作端末から受信する第３の受信手段、
前記第３の受信手段で受信した前記購入要求に基づく前記電子書籍の前記割引販売価格での購入処理を実行する購入処理手段、
として機能させるためのコンピュータ実行可能なプログラム。
【発明の詳細な説明】
【技術分野】
【０００１】
本発明は、電子書籍を販売するシステムおよびプログラムに関する。
【背景技術】
【０００２】
近年、スマートフォンやタブレットＰＣなどの移動端末の普及に伴って、書籍のデジタル版コンテンツ、いわゆる電子書籍が広く利用されるようになってきてはいる。しかし、潜在的な需要はまだまだ眠っていると考えられる。
【０００３】
一方、紙書籍の買取・中古販売を行う古書店にとって、販売対象となる紙書籍の仕入れは常に喫緊の課題であり、在庫を確保するために広告をはじめいろいろな努力がなされている（例えば、特許文献１）。しかし、基本的には、客から紙書籍が持ち込まれるのを待つしかないのが現状である。
【発明の概要】
【発明が解決しようとする課題】
【０００４】
本発明は、上記の現状に鑑みてなされたものであり、紙書籍の所有者に、紙書籍を古書店に引き渡すことで、電子書籍を割引販売価格で購入するための新しい仕組みを提供することを目的とする。
【課題を解決するための手段】
【０００５】
本発明者は、紙書籍の所有者に、紙書籍を古書店に引き渡すことで、電子書籍を割引販売価格で購入するための新しい仕組みにつき鋭意検討した結果、以下の構成に想到し、本発明に至ったのである。
【０００６】
すなわち、本発明によれば、１以上の情報処理装置により構成され、電子書籍を販売する電子書籍販売システムであって、古書店の端末装置から、紙版書籍を識別する紙書籍識別情報を受信する第１の受信部と、前記第１の受信部で受信した前記紙書籍識別情報により識別される紙版書籍に対応する電子書籍を、正規の販売価格より安い割引販売価格で購入できる電子クーポンを取得するためのクーポン取得用情報を、前記古書店の端末装置に送信する第１の送信部と、携帯端末が前記端末装置から前記クーポン取得用情報を取得した後に、該携帯端末が該クーポン取得用情報に基づいて送信するクーポン取得要求を受信する第２の受信部と、前記第２の受信部で受信したクーポン取得要求に基づいて、前記電子クーポンを前記携帯端末に送信する第２の送信部と、前記第２の送信部で送信した前記電子クーポンを利用して、前記第１の受信部で受信した前記紙書籍識別情報により識別される紙版書籍に対応する電子書籍の購入要求を受信する第３の受信部と、前記第３の受信部で受信した前記購入要求に基づく前記電子書籍の前記割引販売価格での購入処理を実行する購入処理部とを有する電子書籍販売システムが提供される。
【発明の効果】
【０００７】
上述したように、本発明によれば、紙書籍の所有者に、紙書籍を古書店に引き渡すことで、電子書籍を割引販売価格で購入するための新しい仕組みが提供される。
【図面の簡単な説明】
【０００８】
【図１】第１実施形態の電子書籍販売システムを含むネットワークシステムを示す図。
【図２】前提となるビジネスモデルを説明するための概念図。
【図３】第１実施形態のネットワークシステムを構成する装置のハードウェア構成図。
【図４】第１実施形態の電子書籍販売システムの機能ブロック図。
【図５】ユーザが古書店に古書を持ち込んだ際に実行される処理を示すシーケンス図。
【図６】古書店のＰＣに表示される画面を示す図。
【図７】書籍情報登録テーブルを示す図。
【図８】スマートフォンに表示される画面を示す図。
【図９】ユーザが古書店で取得した電子クーポンを使用して電子書籍を購入する際に実行される処理を示すシーケンス図。
【図１０】スマートフォンに表示される画面を示す図。
【図１１】販売実績管理テーブルを示す図。
【図１２】第２実施形態の電子書籍販売システムの機能ブロック図。
【図１３】ユーザが古書店に古書を持ち込んだ際に実行される処理を示すシーケンス図。
【図１４】ユーザが古書店で電子クーポンを登録して電子書籍を購入する際に実行される処理を示すシーケンス図。
【図１５】古書店のＰＣに表示される画面を示す図。
【図１６】スマートフォンに表示される画面を示す図。
【発明を実施するための形態】
【０００９】
以下、本発明を、実施形態をもって説明するが、本発明は後述する実施形態に限定されるものではない。なお、以下に参照する各図においては、共通する要素について同じ符号を用い、適宜、その説明を省略するものとする。
【００１０】
（第１実施形態）
本発明の第１実施形態である電子書籍販売システム１００は、電子書籍の電子商取引のためのＥＣサイト（電子書籍販売サイトＸ）を構築するシステムである。図１は、本実施形態の電子書籍販売システム１００を含むネットワークシステム１０００を示す。図１に示されるように、ネットワークシステム１０００は、本実施形態の電子書籍販売システム１００と、古書の買取販売店（以下、古書店という）に設置されるパーソナル・コンピュータ３０（以下、ＰＣ３０という）と、ユーザ端末１０とを含んで構成されている。電子書籍販売システム１００と他の装置は、インターネットなどとして参照されるネットワーク５０を介して相互通信可能に接続されている。なお、以下においては、説明の便宜上、電子書籍販売システム１００の運営者を「電子書籍販売店」と呼び、古書店の運営者を「古書店」と呼ぶ場合がある。また、古書店に設置されるＰＣ３０を「古書店３０」と呼ぶ場合がある。
【００１１】
ここでは、本実施形態の電子書籍販売システム１００の具体的な内容を説明する前に、前提となるビジネスモデルについて説明する。なお、以下では、紙の書籍のデジタル版コンテンツのことを“電子書籍”と呼び、紙の書籍を電子書籍と区別するために“紙版書籍”と呼ぶものとする。
【００１２】
以下、図２に示す概念図に基づいて本ビジネスモデルを説明する。本ビジネスモデルは、古書（中古の紙版書籍）と電子書籍を交換するサービスを提供することを通して古書店と電子書籍販売店の双方がベネフィットを得ることを企図するものである。本サービスのスキームにおいて、古書店は、古書の対価として、現金の代わりに、当該古書に対応する電子書籍を電子書籍販売店から割引販売価格で購入する権利をユーザに渡すとともに、当該古書の買取価格に相当する金額を電子書籍販売店に渡す。なお、ここでいう割引販売価格は無料（１００％割引）を含む概念であり、古書店に古書を引き渡したユーザが電子書籍販売店から電子書籍を無料で購入する場合、これは、古書と電子書籍の交換と見ることができる。
【００１３】
ここで、本ビジネスモデルが古書店および電子書籍販売店にもたらすベネフィットについて説明する。
【００１４】
まず、古書店のベネフィットについて説明する。これまで、古書店には、不要となった本が主に持ち込まれ、所有者がまだ利用する予定があると考える蔵書が持ち込まれることは少なかった。ただし、そのような蔵書の中には、保管スペースの問題から、機会さえあれば電子化したいと考えているものが相当数あるものと推察される。この点につき、古書と電子書籍を格安価格（好ましくは無料）で交換するという本サービスは、そのような潜在的欲求を持つ所有者に蔵書を手放すインセンティブを与えるので、結果として、そのような蔵書が古書店にたくさん持ち込まれるようになり、古書店は在庫の確保が容易になる。
【００１５】
次に、電子書籍販売店のベネフィットについて説明する。本ビジネスモデルでは、電子書籍販売店は、電子書籍をユーザに割引販売価格（好ましくは無料）で販売する代わりに、当該電子書籍に対応する古書の買取価格に相当する金額を古書店から受け取る。ここで、多くの場合、古書の買取価格は電子書籍の定価よりも低いので、電子書籍販売店が電子書籍をユーザに無料で販売する場合、電子書籍販売店は、古書の買取価格は電子書籍の定価の差額分の損を強いられることになる。しかしながら、対象となる品目（電子書籍）について単独での販売があまり期待できないような場合には、本サービスにより、当該品目について少しでも売り上げが立つことは、電子書籍販売店（ひいては著作権者）にとって意味がある。また、ある品目について金銭的な利益よりも知名度の向上を優先したいという要望がある場合、本サービスにより、当該品目が少しでも多く公衆に頒布されることには意味がある。
【００１６】
以上、本実施形態の電子書籍販売システム１００の前提となるビジネスモデルについて説明してきたが、続いて、ネットワークシステム１０００を構成する各装置のハードウェア構成を図３に示すハードウェア構成図に基づいて説明する。
【００１７】
図１に示す電子書籍販売システム１００は、一台のコンピュータとして構成されてもよいし、複数台のコンピュータにより構成されてもよい。電子書籍販売システム１００を構成するコンピュータは、図３（ａ）に示すように、プロセッサ２００と、ＲＯＭ２０２と、ＲＡＭ２０４と、補助記憶装置２０６と、入出力装置インタフェース２０８と、ネットワークインタフェース２１０とを備えている。
【００１８】
プロセッサ２００は、装置全体の動作を制御する演算装置である。ＲＯＭ２０２は、ＢＩＯＳ等のブートプログラムやファームウェアプログラムなどを保存する不揮発性メモリである。ＲＡＭ２０４は、プログラムを実行するための実行空間を提供する不揮発性メモリである。補助記憶装置２０６は、オペレーティングシステム（ＯＳ）や各種アプリケーション等を保存する大容量のＨＤＤなどである。入出力装置インタフェース２０８は、マウスやキーボード、タッチパネル等の入力装置や表示装置等の出力装置を接続するためのインタフェースである。ネットワークインタフェース２１０は、ネットワーク５０に接続するためのインタフェースである。コンピュータは、適切なＯＳの管理下でプログラムを展開して実行することにより、後述する各機能部を実現する。
【００１９】
一方、図１に示すユーザ端末１０は、パーソナル・コンピュータであり、好ましくは、移動情報端末である。以下では、ユーザ端末１０としてスマートフォンが使用される実施形態について説明する。図３（ｂ）に示すように、スマートフォン１０は、プロセッサ３００と、ＲＯＭ３０２と、ＲＡＭ３０４と、補助記憶装置３０６と、タッチパネルディスプレイ３０８と、無線Ｉ／Ｆ３１０とを備えている。
【００２０】
プロセッサ３００は、装置全体の動作を制御する演算装置である。ＲＯＭ３０２は、ＢＩＯＳ等のブートプログラムやファームウェアプログラムなどを保存する不揮発性メモリである。ＲＡＭ３０４は、プログラムを実行するための実行空間を提供する不揮発性メモリである。補助記憶装置３０６は、オペレーティングシステム（ＯＳ）や各種アプリケーション等を保存する大容量のフラッシュメモリなどである。タッチパネルディスプレイ３０８は、ユーザの操作入力を受け付ける表示装置である。無線Ｉ／Ｆ３１０は、アンテナ３１２を通じて無線信号の入出力を行う。なお、以下においては、タッチパネルディスプレイ３０８を単にディスプレイ３０８という。
【００２１】
一方、図１に示すＰＣ３０は、例えば、ノートＰＣであり、図３（ｃ）に示すように、プロセッサ４００と、ＲＯＭ４０２と、ＲＡＭ４０４と、補助記憶装置４０６と、ディスプレイ４０８と、ネットワークインタフェース４１０と備えている。
【００２２】
プロセッサ４００は、装置全体の動作を制御する演算装置である。ＲＯＭ４０２は、ＢＩＯＳ等のブートプログラムやファームウェアプログラムなどを保存する不揮発性メモリである。ＲＡＭ４０４は、プログラムを実行するための実行空間を提供する不揮発性メモリである。補助記憶装置４０６は、オペレーティングシステム（ＯＳ）や各種アプリケーション等を保存する大容量のＨＤＤなどである。ディスプレイ４０８は、表示装置である。ネットワークインタフェース４１０は、ネットワーク５０に接続するためのインタフェースである。
【００２３】
以上、ネットワークシステム１０００を構成する各装置のハードウェア構成について説明してきたが、続いて、本実施形態の電子書籍販売システム１００の構成を図４に示す機能ブロック図に基づいて説明する。
【００２４】
図４に示すように、本実施形態の電子書籍販売システム１００は、書籍情報登録部１０２と、クーポン生成部１０３と、クーポン配付部１０４と、電子書籍販売実績管理部１０５と、電子書籍販売部１０６とを含んで構成されている。
【００２５】
書籍情報登録部１０２は、紙版書籍の識別情報と電子書籍の識別情報を紐付けて管理するための機能手段であり、クーポン生成部１０３は、電子書籍を割引販売価格で購入するための電子クーポンを生成するための機能手段であり、クーポン配付部１０４は、電子クーポンを取得するために必要な情報を古書店のＰＣ端末３０に送信するための機能手段である。
【００２６】
また、電子書籍販売実績管理部１０５は、電子クーポンを利用した電子書籍の販売実績を蓄積するための機能手段であり、電子書籍販売部１０６は、電子書籍の電子商取引のために必要な各種機能（ユーザ管理機能、商品ページ機能、受注機能、決済機能など）を実現する機能手段である。
【００２７】
上述した各機能手段は、コンピュータに所定のプログラムをインストールすることによって実現される。本実施形態においては、上述した各機能手段を１台のコンピュータ上で実現してもよいし、各機能手段を適切な単位でネットワーク上の２以上のコンピュータに分散配置する形で実現してもよい。
【００２８】
以上、本実施形態の電子書籍販売システム１００を構成する各機能手段について概説したが、以下においては、上述した各機能手段によって実行される処理の内容をより具体例に説明する。なお、以下の説明においては、適宜、図４を参照するものとする。
【００２９】
まず最初に、ユーザが古書店に古書を持ち込んだ際に実行される処理を図５に示すシーケンス図に基づいて説明する。
【００３０】
ユーザが古書店に古書を持ち込んで電子書籍との交換を申し出ると（Ｓ１）、古書店の店員は、ＰＣ３０を操作して電子書籍販売システム１００が提供する「電子書籍販売サイトＸ」にログインする（Ｓ２）。ログインが成功すると、ＰＣ３０のディスプレイ４０８に「電子書籍販売サイトＸ」のクーポン発行ページが表示される。
【００３１】
図６（ａ）は、クーポン発行ページを例示的に示す。古書店の店員は、ＰＣ３０に表示されたクーポン発行ページを介して、ユーザが持ち込んだ古書に付与された識別情報を入力する（Ｓ３）。当該識別情報は、書籍の品目を一意に識別するためのものであり、具体例としては、ＩＳＢＮ（International Standard Book Number）を挙げることができる。以下では、書籍の品目を一意に識別するための識別情報として、ＩＳＢＮを入力する実施形態について説明する。
【００３２】
古書店の店員がクーポン発行ページにおいて、古書のＩＳＢＮを入力した後、送信ボタンをクリックすると、入力したＩＳＢＮが古書店３０から電子書籍販売システム１００に送信される（Ｓ４）。ここで、ＩＳＢＮの入力は、手入力またはバーコードリーダー入力のいずれであってもよい。
【００３３】
これを受けて、電子書籍販売システム１００のクーポン生成部１０３は、古書店３０から受信したＩＳＢＮをキーとして図７に例示する書籍情報登録テーブル５００を検索する（Ｓ５）。ここで、書籍情報登録テーブル５００は、古書店毎に用意され、紙版書籍のＩＳＢＮを格納するためのフィールド５０１、支払保証金額を格納するためのフィールド５０２、電子書籍のＩＳＢＮ（電子書籍のＩＳＢＮは、紙版書籍のそれとは別の固有の値が付与される）を格納するためのフィールド５０３、電子書籍の割引販売価格を格納するためのフィールド５０４を備える。
【００３４】
本システムでは、運用の開始に先立って、書籍情報登録部１０２が書籍情報登録テーブル５００の登録処理を実施する。好ましい実施形態では、書籍情報登録部１０２が紙版書籍に係る支払保証金額の登録を受け付けるための適切なウィザードを古書店３０に提供し、古書店は、提供されたウィザードを介して紙版書籍に係る支払保証金額を登録する。
【００３５】
具体的には、古書店が、買取を予定する紙版書籍のＩＳＢＮと当該紙版書籍に係る支払保証金額をウィザードの案内に従って入力すると、書籍情報登録部１０２が入力されたＩＳＢＮおよび支払保証金額を、それぞれ、フィールド５０１およびフィールド５０３に登録する。ここで、支払保証金額とは、紙版書籍に対応する電子書籍を電子書籍販売店がユーザに割引販売価格（好ましくは無料）で販売した場合の対価として古書店が電子書籍販売店に支払うことを保証する金額を意味する。好ましい実施形態では、古書店が支払保証金額として紙版書籍の買取価格に相当する金額を登録することを想定するが、本発明は、支払保証金額（フィールド５０３）に任意の金額を登録することを排除するものではない。
【００３６】
一方、電子書籍販売店は、古書店が登録した支払保証金額を参照して、採算が合うと判断した紙版書籍に対応する電子書籍のＩＳＢＮ（電子書籍のＩＳＢＮは、紙版書籍のそれとは別の固有の値が付与される）をフィールド５０２に登録するとともに、当該電子書籍の割引販売価格をフィールド５０４に登録する。好ましい実施形態では、電子書籍販売店が割引販売価格として“ゼロ円“を登録することを想定するが、本発明は、割引販売価格（フィールド５０４）に任意の金額を登録することを排除するものではない。
【００３７】
クーポン生成部１０３は、古書店３０から受領した紙版書籍のＩＳＢＮをキーとして書籍情報登録テーブル５００を検索した結果、当該ＩＳＢＮに紐付いた電子書籍のＩＳＢＮが存在することを確認すると、書籍情報登録テーブル５００に登録された値に基づいて、下記（１）〜（６）の情報を含む電子クーポンを生成する（Ｓ６）。
（１）古書店３０から受領した紙版書籍のＩＳＢＮ
（２）当該紙版書籍のＩＳＢＮに紐付いた電子書籍のＩＳＢＮ
（３）当該電子書籍のＩＳＢＮに紐付いた支払保証金額
（４）当該電子書籍のＩＳＢＮに紐付いた割引販売価格
（５）当該割引販売価格で電子書籍を購入する権利の証明書
（６）当該紙版書籍のＩＳＢＮの送信元の古書店のユーザＩＤ
【００３８】
本実施形態における電子クーポンは、電子書籍を割引販売価格で購入するためのクーポンであり、クーポン生成部１０３は、生成した電子クーポンを所定の記憶領域に保存する（Ｓ６）。
【００３９】
電子クーポンが生成されたことを受けて、クーポン配付部１０４は、Ｓ６で保存した電子クーポンの保存先パスを埋め込んだクーポンのダウンロード用ページを生成する（Ｓ７）。
【００４０】
続いて、クーポン配付部１０４は、Ｓ８で生成したクーポンのダウンロード用ページのパス（ＵＲＬ）をＱＲコード（登録商標、以下同様。）にエンコードした後、当該ＱＲコードを表示する画面（以下、ＱＲコード画面という）を生成する（Ｓ８）。その後、クーポン配付部１０４は、生成したＱＲコード画面を古書店３０に送信する（Ｓ９）。なお、ＵＲＬのエンコード方式は、スマートフォン１０が対応する限りにおいて他の方式であってもよく、ＱＲコード以外の他の２次元コードであってもよいし、バーコード等の１次元コードであってもよい。
【００４１】
これを受けて、古書店のＰＣ３０は、電子書籍販売システム１００から受信したＱＲコード画面をディスプレイ４０８に表示する（Ｓ１０）。図６（ｂ）は、古書店のＰＣ３０のディスプレイ４０８に表示されるＱＲコード画面を例示する。
【００４２】
一方、Ｓ５で実施される検索において、古書店３０から受領したＩＳＢＮに紐付いた電子書籍のＩＳＢＮが存在しなかった場合には、クーポン生成部１０３は、ユーザが持ち込んだ古書がクーポンの対象となっていない旨のメッセージを生成し、古書店３０に送信する。図６（Ｃ）は、その場合に、古書店のＰＣ３０のディスプレイ４０８に表示されるメッセージ画面を例示的に示す。
【００４３】
ＰＣ３０のディスプレイ４０８にＱＲコード画面が表示された場合、古書店の店員は、ディスプレイ４０８の画面をユーザに向けて表示されたＱＲコードをスマートフォン１０で読み取るように促す。これを受けて、ユーザは、スマートフォン１０のＱＲコード読み取り機能を立ち上げ、ＱＲコード画面に表示されたＱＲコードを撮影する（Ｓ１２）。
【００４４】
ＱＲコードを撮影したスマートフォン１０は、当該ＱＲコードを解析してクーポンのダウンロード用ページのＵＲＬを取得し（Ｓ１３）、当該ＵＲＬにアクセスしてクーポンのダウンロード用ページを要求する（Ｓ１４）。これを受けて、クーポン配付部１０４は、Ｓ８で生成した電子クーポンのダウンロード用ページをスマートフォン１０に送信する（Ｓ１５）。
【００４５】
スマートフォン１０は、電子書籍販売システム１００から受信したクーポンのダウンロード用ページをディスプレイ３０８に表示する（Ｓ１６）。図８（ａ）は、スマートフォン１０のディスプレイ３０８に表示されるクーポンのダウンロード用ページを例示する。
【００４６】
ユーザが図８（ａ）に示すクーポンのダウンロード用ページにおいて、「今すぐダウンロード」のボタンをタッチすると（Ｓ１７）、当該ダウンロード用ページに埋め込まれている電子クーポンのパスを含むダウンロード要求がスマートフォン１０から電子書籍販売システム１００に送信される（Ｓ１８）。
【００４７】
電子書籍販売システム１００がスマートフォン１０からクーポンのダウンロード要求を受信したことを受けて、クーポン配付部１０４は、当該ダウンロード要求に含まれるパスが示す保存先の電子クーポンを取得し（Ｓ１９）、これをスマートフォン１０に送信する（Ｓ２０）。
【００４８】
一方、電子書籍販売システム１００から電子クーポンを受信したスマートフォン１０のＷｅｂブラウザは、専用記憶領域に電子クーポンを保存する（Ｓ２２）。Ｓ２２における電子クーポンの保存は、例えば、ＨＴＭＬ５のWeb Storageという技術によって実現することができる。
【００４９】
以上、ユーザが古書を持ち込んだ際に実行される処理について説明してきたが、続いて、ユーザが古書店で取得した電子クーポンを使用して電子書籍を購入する際に実行される処理を図９に示すシーケンス図に基づいて説明する。
【００５０】
先に図５に基づいて、電子書籍販売システム１００からスマートフォン１０に電子クーポンが送信されるまでの一連の処理について説明したが、好ましい実施形態では、クーポン配付部１０４がスマートフォン１０に電子クーポンを送信したことを受けて、電子書籍販売部１０６が当該電子クーポンの利用対象となる電子書籍の商品ページへのリンクページを送信する。具体的には、電子書籍販売部１０６は、スマートフォン１０に送信した電子クーポン（図５、Ｓ２０参照）の利用対象となる電子書籍の商品ページのＵＲＬを埋め込んだリンクページを生成し、スマートフォン１０に送信する。
【００５１】
図８（ｂ）は、スマートフォン１０に送信されるリンクページを例示する。ここで、図８（ｂ）に例示するリンクページには、スマートフォン１０に送信した電子クーポン（図５、Ｓ２０参照）の利用対象である電子書籍（この場合、「○×△□の歴史」）の商品ページのＵＲＬが埋め込まれている。
【００５２】
ユーザがスマートフォン１０に表示されるリンクページにおいて、「今すぐ電子書籍を購入」と表示されたボタンをタッチすると（Ｓ１）、これに応答して、スマートフォン１０のＷｅｂブラウザがリンクページに埋め込まれたＵＲＬに基づいて「○×△□の歴史」の商品ページにアクセスする（Ｓ２）。これを受けて、電子書籍販売システム１００の電子書籍販売部１０６は、「○×△□の歴史」の商品ページをスマートフォン１０に送信し（Ｓ３）、スマートフォン１０は、「○×△□の歴史」の商品ページをディスプレイ３０８に表示する（Ｓ４）。図１０（ａ）は、スマートフォン１０のディスプレイ３０８に表示される「○×△□の歴史」の商品ページを例示的に示す。
【００５３】
ここで、ユーザが商品ページの「買い物かごに入れる」と表示されたボタンをタッチすると（Ｓ５）、所定のログイン画面に遷移する。これを受けて、ユーザが「電子書籍販売サイトＸ」にログインすると（Ｓ６）、スマートフォン１０のＷｅｂブラウザは、先のＳ２２（図５）で専用記憶領域に保存した電子クーポンを読み出し（Ｓ７）、当該電子クーポンを埋め込んだ注文情報を生成する（Ｓ８）。その後、スマートフォン１０は、生成した注文情報を電子書籍販売システム１００に送信する（Ｓ９）。
【００５４】
これを受けて、電子書籍販売システム１００の電子書籍販売部１０６は、スマートフォン１０から受領した注文情報に埋め込まれた電子クーポンを解析し、当該電子クーポンの内容に応じた注文受付処理を実行する（Ｓ１０）。具体的には、注文された商品（この場合、「○×△□の歴史（電子書籍版）」）を電子クーポンに記述された割引販売価格“￥０”で“買い物かご”に入れる処理を実行する。
【００５５】
その後、電子書籍販売部１０６は、注文内容確認画面をスマートフォン１０に送信する（Ｓ１１）。これを受けて、スマートフォン１０は、注文内容確認画面をディスプレイ３０８に表示する（Ｓ１２）。図１０（ｂ）は、スマートフォン１０のディスプレイ３０８に表示される注文内容確認画面を例示的に示す。図１０（ｂ）に示す注文内容確認画面は、「○×△□の歴史（電子書籍版）」がクーポン使用価格“￥０”で買い物かごに入っていることを示している。
【００５６】
スマートフォン１０のディスプレイ３０８に表示された注文内容確認画面を確認したユーザが「レジに進む」ボタンをタッチすると、スマートフォン１０に「電子書籍販売サイトＸ」の決済用画面が表示される。ここで、ユーザが当該決済用画面の案内に従って「○×△□の歴史（電子書籍版）」注文を確定し、決済に必要な操作を実行すると（Ｓ１３）、スマートフォン１０から電子書籍販売システム１００に決済情報が送信される（Ｓ１４）。これを受けて、電子書籍販売システム１００の電子書籍販売部１０６は、決済処理を実行した後（Ｓ１５）、決済が成功した場合はその旨をスマートフォン１０に通知する（Ｓ１６）。その後、ユーザは、所望のタイミングで電子書籍販売部１０６が提供する所定のダウンロード画面にアクセスして「○×△□の歴史（電子書籍版）」をダウンロードする。
【００５７】
一方、電子書籍販売部１０６は、「○×△□の歴史（電子書籍版）」の販売に係る決済処理が完了したことに応答して、当該販売に関する情報（販売結果情報）を電子書籍販売実績管理部１０５に渡す。好ましい実施形態では、電子書籍販売部１０６は、販売結果情報として、当該販売に使用された電子クーポンを電子書籍販売実績管理部１０５に渡す。
【００５８】
これを受けて、電子書籍販売実績管理部１０５は、図１１に例示する販売実績管理テーブル６００に更新する（Ｓ１７）。ここで、販売実績管理テーブル６００は、古書店毎に用意され、紙版書籍のＩＳＢＮを格納するためのフィールド６０１、支払保証金額を格納するためのフィールド６０２、電子書籍のＩＳＢＮを格納するためのフィールド６０３、当該電子書籍の販売日時を格納するためのフィールド６０４を備える。具体的には、電子書籍販売実績管理部１０５は、電子書籍販売部１０６から受領した販売結果情報（電子クーポン）に記述された古書店のユーザＩＤに紐付いた販売実績管理テーブル６００のフィールド６０１、フィールド６０２およびフィールド６０３に、それぞれ、当該電子クーポンに記述された紙版書籍のＩＳＢＮ、支払保証金額および電子書籍のＩＳＢＮを格納するとともに、当該販売結果情報の受信時刻をフィールド６０４に格納する。
【００５９】
そして、電子書籍販売店は、所定の締め日ごとに、販売実績管理テーブル６００に記録された内容に基づいて各古書店の支払保証金額を集計し、集計額を各古書店に請求する。
【００６０】
以上、本発明の第１実施形態を説明してきたが、続いて、本発明の第２実施形態を説明する。なお、以下においては、第１実施形態と共通する事項の説明については、適宜、省略するものとする。
【００６１】
（第２実施形態）
【００６２】
本発明の第２実施形態である電子書籍販売システム１５０は、Ｗｅｂ上で電子書籍を販売するＥＣサイト（電子書籍販売サイトＸ）を構築するシステムであり、１以上の情報処理装置によって構成される。なお、本実施形態の電子書籍販売システム１５０を含むネットワークシステムの構成ならびに当該ネットワークシステムを構成する各装置のハードウェア構成は、第１実施形態と同じであるので、ここではその説明を割愛する。
【００６３】
本実施形態の電子書籍販売システム１５０の構成を図１２に示す機能ブロック図に基づいて説明する。
【００６４】
図１２に示すように、本実施形態の電子書籍販売システム１５０は、第１実施形態と同様の機能手段として、書籍情報登録部１０２と、クーポン生成部１０３と、電子書籍販売実績管理部１０５と、電子書籍販売部１０６とを含んで構成されている。一方、電子書籍販売システム１５０は、クーポン配付部１０４（図４参照）の代わりにクーポン登録部１０８を備える点で第１実施形態と異なる。
【００６５】
以下、上述した各機能手段によって実行される処理の内容をより具体例に説明する。なお、以下の説明においては、適宜、図１２を参照するものとする。
【００６６】
まず最初に、ユーザが古書店に古書を持ち込んだ際に実行される処理を図１３および図１４に示すシーケンス図に基づいて説明する。
【００６７】
ユーザが古書店に古書を持ち込んで電子書籍との交換を申し出ると（Ｓ１）、古書店の店員は、ＰＣ３０を操作して電子書籍販売システム１００にログインする（Ｓ２）。ログインが成功すると、ＰＣ３０のディスプレイ４０８に電子書籍用クーポン登録ページが表示される。
【００６８】
図１５（ａ）は、電子書籍用クーポン登録ページを例示的に示す。古書店の店員は、ＰＣ３０に表示された電子書籍用クーポン登録ページを介して、ユーザが持ち込んだ古書に付与された識別情報（ＩＳＢＮ）を入力し（Ｓ３）、送信ボタンをクリックすると、入力したＩＳＢＮが古書店３０から電子書籍販売システム１５０に送信される（Ｓ４）。
【００６９】
これを受けて、電子書籍販売システム１５０のクーポン生成部１０３は、古書店３０から受信したＩＳＢＮをキーとし書籍情報登録テーブル５００（図７参照）を検索し（Ｓ５）、その結果、当該ＩＳＢＮに紐付いた電子書籍のＩＳＢＮが存在することを確認すると、書籍情報登録テーブル５００に登録された値に基づいて、下記（１）〜（５）の情報を含む電子クーポンを生成し、一時記憶領域に保存する（Ｓ６）。
（１）古書店３０から受領した紙版書籍のＩＳＢＮ
（２）当該紙版書籍のＩＳＢＮに紐付いた電子書籍のＩＳＢＮ
（３）当該電子書籍のＩＳＢＮに紐付いた支払保証金額
（４）当該電子書籍のＩＳＢＮに紐付いた割引販売価格
（５）当該紙版書籍のＩＳＢＮの送信元の古書店のユーザＩＤ
【００７０】
電子クーポンが生成されたことを受けて、クーポン登録部１０８は、Ｓ６で保存した電子クーポンの保存先パスを埋め込んだクーポン登録用ページを生成すし（Ｓ７）、生成したクーポン登録用ページのパス（ＵＲＬ）をＱＲコード（登録商標、以下同様。）にエンコードして当該ＱＲコードを表示するＱＲコード画面を生成する（Ｓ８）。その後、クーポン登録部１０８は、生成したＱＲコード画面を古書店３０に送信する（Ｓ９）。
【００７１】
これを受けて、古書店のＰＣ３０は、電子書籍販売システム１５０から受信したＱＲコード画面をディスプレイ４０８に表示する（Ｓ１０）。図１５（ｂ）は、古書店のＰＣ３０のディスプレイ４０８に表示されるＱＲコード画面を例示する。
【００７２】
一方、Ｓ５で実施される検索において、古書店３０から受領したＩＳＢＮに紐付いた電子書籍のＩＳＢＮが存在しなかった場合には、クーポン登録部１０８は、ユーザが持ち込んだ古書がクーポンの対象となっていない旨のメッセージを生成し、古書店３０に送信する。図１５（ｃ）は、その場合に、古書店のＰＣ３０のディスプレイ４０８に表示されるメッセージ画面を例示的に示す。
【００７３】
ＰＣ３０のディスプレイ４０８にＱＲコード画面が表示された場合、古書店の店員は、ディスプレイ４０８の画面をユーザに向けて表示されたＱＲコードをスマートフォン１０で読み取るように促す。これを受けて、ユーザは、スマートフォン１０のＱＲコード読み取り機能を立ち上げ、ＱＲコード画面に表示されたＱＲコードを撮影する（Ｓ１１）。
【００７４】
ＱＲコードを撮影したスマートフォン１０は、当該ＱＲコードを解析してクーポン登録用ページのＵＲＬを取得し（Ｓ１２）、当該ＵＲＬにアクセスしてクーポンのクーポン登録用ページを要求する（Ｓ１３）。これを受けて、クーポン登録部１０８は、Ｓ８で生成したクーポン登録用ページをスマートフォン１０に送信する（Ｓ１４）。
【００７５】
スマートフォン１０は、電子書籍販売システム１５０から受信したクーポン登録用ページをディスプレイ３０８に表示する（Ｓ１５）。図１６（ａ）は、スマートフォン１０のディスプレイ３０８に表示されるクーポン登録用ページを例示する。図１６（ａ）に示すように、クーポン登録用ページにはユーザのログインを促すメッセージともにアカウント情報の入力フォームが表示される。
【００７６】
図１４に進んで説明を続ける。Ｓ１５でクーポン登録用ページに表示されたことを受けて、ユーザが入力フォームからアカウント情報を入力して電子書籍販売システム１５０へのログインに成功すると（Ｓ１６）、当該クーポン登録用ページに埋め込まれている電子クーポンのパスを含むクーポン登録要求がスマートフォン１０から電子書籍販売システム１５０に送信される（Ｓ１７）。
【００７７】
スマートフォン１０からクーポン登録要求を受信したことを受けて、電子書籍販売システム１５０のクーポン登録部１０８は、当該クーポン登録要求に含まれるパスが示す保存先（一時記憶領域）から電子クーポンを読み出し、当該電子クーポンをログインユーザ（すなわち、スマートフォン１０のユーザ）に紐付けて登録する（Ｓ１８）。
【００７８】
好ましい実施形態では、電子書籍販売部１０６は、クーポン登録部１０８がスマートフォン１０のユーザに紐付けて電子クーポンを登録したことを受けて、当該電子クーポンの利用対象となる電子書籍「○×△□の歴史」を注文するための注文情報を埋め込んだリンクページを生成し（Ｓ１９）、スマートフォン１０に送信する（Ｓ２０）。これを受けて、スマートフォン１０は、受信したリンクページをディスプレイ３０８に表示する（Ｓ２１）。図１６（ｂ）は、スマートフォン１０に表示されるリンクページを例示する。
【００７９】
ユーザが表示されたリンクページにおいて、「今すぐ電子書籍を購入」と表示されたボタンをタッチすると（Ｓ２２）、これに応答して、スマートフォン１０のＷｅｂブラウザがリンクページに埋め込まれた「○×△□の歴史」の注文情報を電子書籍販売システム１５０に送信する（Ｓ２３）。
【００８０】
これを受けて、電子書籍販売システム１５０の電子書籍販売部１０６は、スマートフォン１０から受領した注文情報に基づいて注文受付処理を実行する（Ｓ２４）。このとき、電子書籍販売部１０６は、注文された商品（この場合、「○×△□の歴史（電子書籍版）」）に係る電子クーポンがスマートフォン１０のユーザに登録されていることを確認し、電子クーポンに記述された割引販売価格“￥０”で「○×△□の歴史」を“買い物かご”に入れる処理を実行する。
【００８１】
その後、電子書籍販売部１０６は、注文内容確認画面をスマートフォン１０に送信する（Ｓ２５）。これを受けて、スマートフォン１０は、注文内容確認画面をディスプレイ３０８に表示する（Ｓ２６）。図１６（ｃ）は、スマートフォン１０のディスプレイ３０８に表示される注文内容確認画面を例示的に示す。図１６（ｃ）に示す注文内容確認画面は、「○×△□の歴史（電子書籍版）」がクーポン使用価格“￥０”で買い物かごに入っていることを示している。
【００８２】
スマートフォン１０のディスプレイ３０８に表示された注文内容確認画面を確認したユーザが「レジに進む」ボタンをタッチすると、スマートフォン１０に「電子書籍販売サイトＸ」の決済用画面が表示される。ここで、ユーザが当該決済用画面の案内に従って「○×△□の歴史（電子書籍版）」注文を確定し、決済に必要な操作を実行すると（Ｓ２７）、スマートフォン１０から電子書籍販売システム１５０に決済情報が送信される（Ｓ２８）。これを受けて、電子書籍販売システム１５０の電子書籍販売部１０６は、決済処理を実行した後（Ｓ２９）、決済が成功した場合はその旨をスマートフォン１０に通知する（Ｓ３０）。その後、ユーザは、所望のタイミングで電子書籍販売部１０６が提供する所定のダウンロード画面にアクセスして「○×△□の歴史（電子書籍版）」をダウンロードする。
【００８３】
一方、電子書籍販売部１０６は、「○×△□の歴史（電子書籍版）」の販売に係る決済処理が完了したことに応答して、販売結果情報（電子クーポン）を電子書籍販売実績管理部１０５に渡す。これを受けて、電子書籍販売実績管理部１０５は、電子クーポンに記述された情報に基づいて古書店毎に用意される販売実績管理テーブル６００（図１１参照）を更新する（Ｓ３１）。
【００８４】
以上、説明したように、本実施形態によれば、本の所有者に当該本の電子書籍を割引販売価格で販売するための新しい仕組みとして、古書と電子書籍の交換を実現するためのプラットフォームが提供される。
【００８５】
以上、本発明について実施形態をもって説明してきたが、本発明は上述した実施形態に限定されるものではない。例えば、上述した実施形態では、ユーザ端末としてスマートフォンが使用される態様について説明したが、ユーザ端末は、タブレットＰＣやＰＤＡなど任意の情報端末であってもよいことはいうまでもない。また、古書店のＰＣは、タブレットＰＣであってもよい。その他、当業者が推考しうる実施態様の範囲内において、本発明の作用・効果を奏する限り、本発明の範囲に含まれるものである。
【００８６】
なお、上述した実施形態の各機能は、Ｃ、Ｃ＋＋、Ｃ＃、Ｊａｖａ（登録商標）などで記述された装置実行可能なプログラムにより実現でき、本実施形態のプログラムは、ハードディスク装置、ＣＤ−ＲＯＭ、ＭＯ、ＤＶＤ、フレキシブルディスク、ＥＥＰＲＯＭ、ＥＰＲＯＭなどの装置可読な記録媒体に格納して頒布することができ、また他装置が可能な形式でネットワークを介して伝送することができる。
【符号の説明】
【００８７】
１０…スマートフォン（ユーザ端末）
３０…ＰＣ（古書店）
５０…ネットワーク
１００,１５０…電子書籍販売システム
１０２…書籍情報登録部
１０３…クーポン生成部
１０４…クーポン配付部
１０５…電子書籍販売実績管理部
１０６…電子書籍販売部
１０８…クーポン登録部
２００…プロセッサ
２０２…ＲＯＭ
２０４…ＲＡＭ
２０６…補助記憶装置
２０８…入出力装置インタフェース
２１０…ネットワークインタフェース
３００…プロセッサ
３０２…ＲＯＭ
３０４…ＲＡＭ
３０６…補助記憶装置
３０８…タッチパネルディスプレイ
３１０…無線Ｉ／Ｆ
３１２…アンテナ
４００…プロセッサ
４０２…ＲＯＭ
４０４…ＲＡＭ
４０６…補助記憶装置
４０８…ディスプレイ
４１０…ネットワークインタフェース
５００…書籍情報登録テーブル
５０１,５０２,５０３,５０４…フィールド
６００…販売実績管理テーブル
６０１,６０２,６０３,６０４…フィールド
１０００…ネットワークシステム
【先行技術文献】
【特許文献】
【００８８】
【特許文献１】特開２００２−７４１１０号公報
【図１】
2016173645.tif 000003
【図２】
2016173645.tif 000004
【図３】
2016173645.tif 000005
【図４】
2016173645.tif 000006
【図５】
2016173645.tif 000007
【図６】
2016173645.tif 000008
【図７】
2016173645.tif 000009
【図８】
2016173645.tif 000010
【図９】
2016173645.tif 000011
【図１０】
2016173645.tif 000012
【図１１】
2016173645.tif 000013
【図１２】
2016173645.tif 000014
【図１３】
2016173645.tif 000015
【図１４】
2016173645.tif 000016
【図１５】
2016173645.tif 000017
【図１６】
2016173645.tif 000018